(57)【特許請求の範囲】
【請求項１】
原稿を読み取る読取手段と、
前記読取手段で前記原稿の読み取りが終わる前に、前記読取手段による読取結果を送信するための通信を開始する通信手段を有する送信装置であって、
前記読取手段による読取結果に含まれたＱＲコード（登録商標）に含まれる送信不可又は送信可を表す情報に応じた制御を行うモードが有効な場合には、原稿の読み取りが終わる前に前記通信手段が読取結果を送信するための通信を開始する設定をユーザに選択させないよう設定画面の表示を行い、
前記読取手段での読取結果に含まれるＱＲコード（登録商標）に含まれる送信不可又は送信可を表す情報に応じた制御を行うモードが無効な場合には、原稿の読み取りが終わる前に前記通信手段が読取結果を送信するための通信を開始する設定をユーザが選択可能なよう設定画面の表示を行う制御手段を有することを特徴とする送信装置。
【請求項２】
前記読取手段による読取結果に含まれたＱＲコード（登録商標）に含まれる送信不可又は送信可を表す情報に応じた制御を行うモードが有効な場合には、
前記制御手段は、前記読取手段で前記原稿の読み取りが終わる前に前記通信手段が読取結果を送信するための通信を開始することをユーザが希望する際に押下されるボタンをグレーアウトした状態で設定画面を表示するか、又は、前記ボタンを表示しない状態で設定画面を表示することを特徴とする請求項１に記載の送信装置。
【請求項３】
原稿を読み取る読取手段と、
前記読取手段で前記原稿の読み取りが終わる前に、前記読取手段による読取結果を送信するための通信を開始する通信手段を有する送信装置の制御方法であって、
前記読取手段による読取結果に含まれたＱＲコード（登録商標）に含まれる送信不可又は送信可を表す情報に応じた制御を行うモードが有効な場合には、原稿の読み取りが終わる前に前記通信手段が読取結果を送信するための通信を開始する設定をユーザに選択させないよう設定画面の表示を行い、
前記読取手段での読取結果に含まれるＱＲコード（登録商標）に含まれる送信不可又は送信可を表す情報に応じた制御を行うモードが無効な場合には、原稿の読み取りが終わる前に前記通信手段が読取結果を送信するための通信を開始する設定をユーザが選択可能なよう設定画面の表示を行う制御工程を有することを特徴とする送信装置の制御方法。
【請求項４】
前記読取手段による読取結果に含まれたＱＲコード（登録商標）に含まれる送信不可又は送信可を表す情報に応じた制御を行うモードが有効な場合には、
前記制御工程では、前記読取手段で前記原稿の読み取りが終わる前に前記通信手段が読取結果を送信するための通信を開始することをユーザが希望する際に押下されるボタンをグレーアウトした状態で設定画面を表示するか、又は、前記ボタンを表示しない状態で設定画面を表示することを特徴とする請求項３に記載の送信装置の制御方法。
【請求項５】
請求項３又は４に記載の制御方法をコンピュータに実行させるためのコンピュータ読み取り可能なプログラム。
【発明の詳細な説明】
【技術分野】
【０００１】
本発明は、コードを取り扱うことの出来る送信装置、その制御方法、プログラムに関するものである。
【背景技術】
【０００２】
近年、紙媒体に対するセキュリティ対策として、紙に印字された情報のセキュリティレベルに応じたコードを紙に印字しておく技術が考えられている。ここで、コードとは、例えばＱＲコードなどの二次元コードや一次元コード、あるいは、電子透かしなどを意味する。
【０００３】
また、送信禁止情報が埋め込まれた原稿をスキャンした時に、ＱＲコードから禁止情報を抽出して送信を禁止することが可能な画像処理装置が考えられている。
【発明の概要】
【発明が解決しようとする課題】
【０００４】
しかし、画像処理装置の送信手段の中には、禁止情報を抽出できずに送信してしまう送信手段がある。それは、スキャンと同時（正確にはスキャンが終了する前に）に画像データを送信し始めるダイレクト送信という手段である。
【０００５】
ダイレクト送信の説明をする前に、通常送信の手順を説明して、その後、ダイレクト送信での手順と比較しながら課題を説明していく。
【０００６】
まず、画像処理装置の通常送信の手順について説明する。スタートボタンが押下されたことを検知した画像処理装置は、まず始めに、原稿台におかれた原稿のスキャンを行う。スキャンにより生成された画像データは、一旦画像処理装置内のメモリに格納される。スキャン終了後、例えばユーザが設定した送信開始時刻になったら、回線を補足するなどの送信動作を開始し、画像データを送信先に送信する。
【０００７】
スキャンしてから送信するまでの間、画像データはメモリに格納されるので、画像処理装置は、メモリ内に格納された画像データを解析することが可能である。よって、画像処理装置は、画像データ内に二次元コードが埋め込まれているかどうかを送信前に知る事が出来る。
【０００８】
図９は、ＦＡＸの通常送信でのフローを示したものである。このフローを用いて、詳細なＦＡＸ通常送信手順について説明していく。最初、ステップＳ９０１で、画像処理装置は、ユーザによりＵＩ上のＦＡＸ送信キーが押下された事を検知し、送信手段として通常送信を選択する。その後、ステップＳ９０２で、画像処理装置は、ユーザのＵＩキー操作によって、送信先の電話番号入力を受け付ける。画像処理装置は、ステップＳ９０３でスタートキーが押下された事を検知すると、ステップＳ９０４でスキャンを開始する。画像処理装置は、ステップＳ９０５でスキャンにより生成された画像データを予め決められた画像処理装置内のメモリに格納する。その後、発呼動作を開始し（ステップＳ９０７）、画像データを送信するために電話回線を補足する（ステップＳ９０８）。回線が補足できたら、ステップＳ９０９として、送信先の画像処理装置との通信プロトコルを決定するためトレーニング通信等の前手順と呼ばれる通信を行う。ステップＳ９０９の前手順終了後、画像データを送信先へ送信する（ステップＳ９１０）。画像データの送信が終了したら、画像処理装置は、補足していた電話回線を切断するための後手順を実行し（ステップＳ９１１）、回線を切る（ステップＳ９１２）。
【０００９】
次に、ダイレクト送信手段について説明する。これは、原稿のスキャン開始と同時に画像処理装置が送信動作を開始し、ユーザに対して、送信先に実際に送信している感覚やリアルタイム感を感じさせる事が出来る送信手段である。リアルタイムに画像データを送信する送信手段を総称して、ダイレクト送信と呼ぶ事とする。更に、本明細では、ダイレクト送信で特にユーザメリットが大きいＦＡＸダイレクト送信を例に挙げて説明をしていくが、本発明はＦＡＸダイレクト送信のみに限られたものでない事は、明確である。
【００１０】
図１は、ＦＡＸのダイレクト送信でのフローを示したものである。このフローを用いて、詳細なＦＡＸダイレクト送信手順について説明していく。
【００１１】
最初、ステップＳ１０１で、画像処理装置は、ユーザによりＵＩ上のＦＡＸダイレクト送信キー（キーとは、本明細書において、画面上に存在するソフトボタン、あるいは装置に存在するハードボタンの両方を含む。）がユーザにより押下（選択）された事を検知し、送信手段としてダイレクト送信を選択する。その後、ステップＳ１０２で、画像処理装置は、ユーザのＵＩキー操作によって、送信先の電話番号入力を受け付ける。画像処理装置は、ステップＳ１０３でスタートキーが押下された事を検知すると、即座に発呼動作を開始し（ステップＳ１０４）、画像データを送信するために電話回線を補足する（ステップＳ１０５）。回線が補足できたら、ステップＳ１０６として、送信先の画像処理装置との通信プロトコルを決定するためトレーニング通信等の前手順と呼ばれる通信を行う。ステップＳ１０６の前手順終了後、画像処理装置は原稿スキャンを開始する（ステップＳ１０７）と同時に、画像データを順次送信先へ送信する（ステップＳ１０８）。原稿のスキャンが終了したら（ステップＳ１０９）、画像処理装置は、補足していた電話回線を切断するための後手順を実行し（ステップＳ１１０）、回線を切る（ステップＳ１１１）。
【００１２】
ここで、ステップＳ１０７、ステップＳ１０８で説明したように、画像処理装置は、スキャンを開始すると同時に画像データを順次送信先へと送信していく。この時の画像処理装置の動作について、更に詳細に説明を行う。
【００１３】
画像処理装置は、ダイレクト送信時は、事前に画像処理装置に設定された設定に基づき、一ページの原稿をあるブロックごとに分けてスキャンをし、送信していく。
【００１４】
例えば、図２では、ダイレクト送信時のブロックとして、主走査方向に５等分されたブロックＡ，ブロックＢ，ブロックＣ，ブロックＤ，ブロックＥが設定されている。
【００１５】
図３として、画像処理装置内部のメモリについて示す。画像処理装置内のメモリには、ダイレクト送信時に使用していいエリアとして、ブロック１、ブロック２の領域が割り当てられている。ブロック１およびブロック２は、ブロックＡ〜Ｅ夫々１ブロック分の画像データが格納できる領域が確保されている。
【００１６】
図４として、ダイレクト送信を行う時に、画像処理装置のスキャンしている原稿のブロック、画像処理装置内のメモリのブロック１及び２に格納されている画像データ、送信先へ送信されているブロックをタイムチャートで示す。また、スタートボタンの押下を検知してからの時間軸をア、イ、ウ、、、キ、クまで分割した形で示した。ダイレクト送信を行う時の画像処理装置は、区間アで、原稿の先頭であるブロックＡのスキャンを行い、ブロックＡの画像データをメモリ内のブロック１に格納していく。格納が終わったら、メモリ内部の画像データを解析する。送信可能であれば、画像処理装置は、発呼／回線補足／前手順を開始する。
【００１７】
次に、区間イでは、画像処理装置は、ブロック１から解析後送信可能と判断されたブロックＡの画像データを送信先へと送信開始する。画像処理装置は、ブロックＡの画像データの送信が終了したら、ブロック１内に格納されていたブロックＡの画像データを削除する。この時、画像処理装置はブロックＢのスキャンを継続している。
【００１８】
区間ウで、画像処理装置はブロックＣのスキャンを開始すると同時に、区間イでブロック２に格納されたブロックＢの画像データを送信先へと送信開始する。
【００１９】
このように、画像処理装置はこの一連の動作を繰り返し、送信先へスキャンと同時に画像データを送信していく。区間キで、ブロックＦの画像データが送信し終わると、区間クで後手順／回線断を行い、一連の送信動作を終了する。
【００２０】
ここで、原稿の後端に、セキュリティ情報を含む二次元コードが配置されていた場合を考えてみよう。例として、図５に示すように、原稿の後端のブロックＦの位置にＱＲコードが配置されており、このＱＲコードには、送信禁止のセキュリティ情報が含まれているものとする。
【００２１】
画像処理装置は、ブロックＥをスキャンして画像データを生成し、その画像データを解析するまでは、この原稿にセキュリティ情報が埋め込まれているとは分からない。
【００２２】
よって、このような原稿をダイレクト送信で送信しようとすると、画像処理装置は、ブロックＥの画像データからセキュリティ情報を抽出する前に、ブロックＡ、ブロックＢ、ブロックＣ、ブロックＤの画像データを送信先に送信してしまうという問題があった。
【課題を解決するための手段】
【００２３】
上記課題を解決するため、本発明に係る装置は、例えば請求項１に記載の構成を有する事となる。
【発明の効果】
【００２４】
本発明が先行技術に比べて優れているといえる点は、ダイレクト送信で送信禁止情報が埋め込まれた原稿を送信しようとした時に、セキュリティ情報の情報抽出が間に合わずに送信されてしまう事がない送信装置を実現出来る点である。
【図面の簡単な説明】
【００２５】
【図１】ＦＡＸダイレクト送信時のフローチャートを示す図
【図２】原稿に設定される読取ブロックの例を示す図
【図３】画像処理装置内部のメモリ領域の例を示す図
【図４】ＦＡＸダイレクト送信時のタイムチャートを示す図
【図５】実施例１等で想定される、二次元コードを含む原稿の例を示す図
【図６】システム図を示す図
【図７】実施例１において、セキュリティモードを設定する時の表示部の例を示す図
【図８】実施例１のフローチャートを示す図
【図９】ＦＡＸダイレクト送信時のフローチャートを示す図
【図１０】ダイレクト送信を選択不可とした時の表示部の例を示す図
【図１１】ダイレクト送信を選択可とした時の表示部の例を示す図
【図１２】実施例２のフローチャートを示す図
【図１３】実施例２のタイムチャートを示す図
【発明を実施するための形態】
【００２６】
以下、本発明を実施するための最良の形態について説明していく。
【実施例１】
【００２７】
図６は、実施例１のシステム図である。実施例１のシステムは、画像処理装置としてのＭＦＰ１０のみで成り立っている。ここで、本実施例のシステムは、スキャンにより生成した画像データを、送信手段を用いてリアルタイムに送信先に送信できる画像処理装置であれば何でも良く、ＭＦＰ（マルチファンクションプリンタ）に限られるものではない。
【００２８】
ＭＦＰ１０からの送信手段として、本実施例１では最も好適な例として、ＦＡＸ送信の場合で説明を行って行く。しかし、前にも述べたが、本発明の主旨として、送信手段はＦＡＸ送信に限らず、リアルタイムに画像データ（画像データとは、読取手段による読取結果のことである。もちろん、読取り手段による読取結果に画像処理を行った後の画像データも、単に読取結果と称することがある。）を送信できる送信手段であれば良いことは、容易に理解できよう。
【００２９】
また、ＭＦＰ１０は、原稿２０に印字された二次元コードを検出し解析するかどうかのモード設定を切り替える事が可能である。このモードの事を、以降、便宜上セキュリティモードと呼ぶこととする。
【００３０】
ここで、セキュリティモードの設定方法に関して、図７を用いて説明を行う。図７は、ＭＦＰ１０に対して、セキュリティモードを設定する時の一例である。ＭＦＰ１０の管理者もしくは管理権限を持つユーザのみがアクセスできるＭＦＰ１０設定ＵＩ表示に、セキュリティモードのＯＮ（有効）／ＯＦＦ（無効）を切り替えるボタン表示を行う。この画面で、セキュリティモードＯＮのボタンを押下されると、ＭＦＰ１０はスキャンした画像からＱＲコードにより埋め込まれたセキュリティ情報を抽出し、抽出した情報に従った動作（制御）を実行する。このような制御をユーザが希望する場合には、ＯＮ（有効）のボタンを押すことになる。一方、セキュリティモードＯＦＦのボタンを押下されると、ＭＦＰ１０はスキャンした画像からＱＲコードにより埋め込まれたセキュリティ情報の抽出を一切行わない。このような制御をユーザが希望する場合には、ＯＦＦ（無効）のボタンを押すことになる。
【００３１】
図６のシステム図の説明に戻る。ＭＦＰ１０でスキャンする原稿２０には、セキュリティ情報が含まれたＱＲコードが印字されている。原稿２０にセキュリティ情報を埋め込む手段は、可視の二次元コードであれば何でもよいが、ここでは、ＱＲコードによりセキュリティ情報が埋め込まれている例で説明を行っていく。
【００３２】
ユーザは、この原稿２０をＭＦＰ１０の原稿台にセットし、ＭＦＰ１０の有する送信手段タブ（ＳＥＮＤとＦＡＸの二つのタブ）のうち、ＦＡＸタブを押下してＦＡＸ送信を選択する。
【００３３】
ＭＦＰ１０のＦＡＸ送信手段としては、通常送信とダイレクト送信（読取りが終了する前に通信を開始する送信）の２種類がある。ここで、ＭＦＰ１０はセキュリティモードがＯＮに設定されている為、図１０に示すように、ＦＡＸタブ内の表示で、ダイレクト送信ボタンをグレーアウト表示し、ユーザに選択させないようにする。即ち、ダイレクト送信を禁じるのである。なお、もちろん、ＯＦＦに設定されている場合には、ダイレクト送信ボタンを有効な状態（即ち、非グレーアウト表示）とし、ダイレクト送信を許可する。
【００３４】
スタートボタンの押下によりスキャンを開始したＭＦＰ１０は、画像データを一旦ＭＦＰ１０内部のメモリ３０に格納し、ＱＲコードを検出してコードに含まれているセキュリティ情報を解析する。
【００３５】
解析した結果、ＱＲコードが印字されていなかった場合か、送信可のセキュリティ情報が抽出された場合は、メモリ３０に格納した画像データをユーザの設定に従って送信先へ送信する。
【００３６】
解析した結果、送信不可のセキュリティ情報が抽出された場合は、メモリ３０に格納した画像データを消去し、またＵＩ上にエラー表示をする、若しくはエラー音を鳴らすなどして、送信をエラー終了する。
【００３７】
実施例１におけるＭＦＰ１０の処理フローについて、図８のフローチャートを用いて、より詳細に説明を行っていく。尚、図８のフローチャートにおける全てのステップの処理は、ＭＦＰ１０内にある不図示のＣＰＵにより統括的に制御される事で実行可能となる処理である。
【００３８】
ＭＦＰ１０は、ステップＳ８０１で、ＵＩ画面上でユーザからの指示により、送信手段として、ＦＡＸ送信を選択する。次に、ステップＳ８０２に進み、ＭＦＰ１０はセキュリティモードがＯＮに設定されているか否かを判断する。
【００３９】
ステップＳ８０２でセキュリティモードがＯＮであった場合、ステップＳ８０３に進み、ステップＳ８０１で選択した送信手段にダイレクト送信手段があるか否かを判断する。つまり、ステップＳ８０３において、ダイレクト送信手段があった場合は、ステップＳ８０４に進む。例えばＦＡＸ送信手段であれば、ＦＡＸ通常送信とＦＡＸダイレクト送信手段がある。よって、ステップＳ８０１でＦＡＸ送信を選択していた場合、ステップＳ８０３ではダイレクト送信手段が有るので、ステップＳ８０４へ進む。ステップＳ８０４で、ＭＦＰ１０は、ダイレクト送信を実行するボタンをグレーアウトする、ダイレクト送信ボタンそのものを表示しない、など通常とは異なるＵＩ表示をする。よって、ユーザはＵＩ上でダイレクト送信が選択できないため、ダイレクト送信以外の送信手段を選択する。ＭＦＰ１０は、ユーザからダイレクト送信手段以外の選択指示を検知したら、ステップＳ８０５に進む。
【００４０】
尚、ステップＳ８０３でダイレクト送信手段が無かった場合、ＭＦＰ１０はこのステップＳ８０４の処理を行う事なく、ステップＳ８０５に進む。例えばＳＥＮＤ送信手段は、通常送信手段のみ有している。よって、ステップＳ８０１でＳＥＮＤ送信を選択していた場合、ステップＳ８０３ではダイレクト送信手段がないので、ステップＳ８０５へ進む。
【００４１】
ＭＦＰ１０はステップＳ８０５でスタートボタンが押下された事を検知したら、ステップＳ８０６に移行して、原稿台に置かれた原稿２０のスキャンを開始する。そして、スキャンにより生成した画像データを予め決められたＭＦＰ１０内部のメモリ領域に格納する（ステップＳ８０７）。ステップＳ８０８でスキャンが終了した時に、ＭＦＰ１０内部のメモリ領域には、今回のスキャンにより生成した画像データが全て格納されている状態となる。
【００４２】
ＭＦＰ１０は、ステップＳ８０９に進み、メモリ３０内に格納された画像データの解析を行う。まず、ＭＦＰ１０は、メモリ３０内に格納された画像データ内にあるＱＲコードを検出する。ＱＲコードが検出されたら、ＱＲコードのデコード処理を行って、そのＱＲコードに含まれるセキュリティ情報を抽出する。
【００４３】
ステップＳ８０９の解析結果、ＱＲコードに含まれていたセキュリティ情報が送信可であると判断できたら、ＭＦＰ１０は回線を補足し（ステップＳ８１０）、メモリ３０に格納されている画像データを送信先へと送信する（ステップＳ８１１）。送信が終了したら、回線を切断し（ステップＳ８１２）、一連のＦＡＸダイレクト送信動作を終了する。
【００４４】
ステップＳ８０９の解析結果、ＱＲコードに含まれていたセキュリティ情報が送信不可であると判断できたら、ＭＦＰ１０はステップＳ８１３に移行し、メモリ３０内に格納されている画像データを削除して送信を中止する。そして、一連のＦＡＸダイレクト送信動作をエラー終了する。
【００４５】
このエラー終了をユーザに通知する手段としては、ＵＩ上にエラー表示をする、エラー音を鳴らす、エラー終了のレポートを出力する等の手段が考えられる。ユーザへの通知手段として、これら以外の方法で通知することも考えられるが、どんな通知手段をとったとしても、本発明の本質に関わるものではない。
【００４６】
一方、ステップＳ８０２でセキュリティモードがＯＦＦだった場合のＭＦＰ１０の処理について説明をしていく。ステップＳ８５１に進み、ＭＦＰ１０はユーザからＵＩ上のボタン押下等の指示により、通常送信かダイレクト送信かを検知する。この時のＭＦＰ１０のＵＩ表示は図１１に示すような表示となる。
【００４７】
ダイレクト送信が選択された場合はステップＳ８５２に進み、ステップＳ８５２からダイレクト送信動作を行う。これは、先ほど図１で説明した、ＦＡＸダイレクト送信手順ステップＳ１０３からステップＳ１１０までと同じ手順である。よって、ステップＳ８５２からステップＳ８５６までの説明は、ここでは割愛する。
【００４８】
ダイレクト送信が選択されなかった場合はステップＳ８６１に進み、ステップＳ８６１から通常の送信動作を行う。これは、先ほど図９で説明した、ＦＡＸ通常送信手順ステップＳ９０３からステップＳ９１１までと同じ手順である。よって、ステップＳ８６１からステップＳ８６６までの説明は、ここでは割愛する。
【実施例２】
【００４９】
本実施例では、実施例１でユーザに選択不可としてしまったＦＡＸダイレクト手段が選択できた場合でも、原稿２０に印字されたセキュリティ情報に反する事なく画像データを送信できるシステムについて述べる。
【００５０】
実施例２におけるＭＦＰ１０の処理フローについて、図１２のフローチャートを用いて、説明を行っていく。ここで、実施例２においては、ＭＦＰ１０のセキュリティモードはＯＮである前提で説明を行っていく。ＭＦＰ１０のセキュリティモードがＯＦＦであった場合は、図９のステップＳ９０３〜ステップＳ９１１と同じ処理が以降、実行されていくため、ここではステップＳ１２５１〜ステップＳ１２５９までの説明を割愛する。
【００５１】
ＭＦＰ１０は、ステップＳ１２０１で、ＵＩ画面上でユーザからの指示により、送信手段としてＦＡＸ送信を選択し、相手先の電話番号の入力を受け付ける。ステップＳ１２０２では、図１１に示すようなＵＩ表示を行い、ユーザが通常送信かダイレクト送信かを選択できる。
【００５２】
ステップＳ１２０２でダイレクト送信が選択された場合、ステップＳ１２０３に進み、ＭＦＰ１０はスキャンのブロック単位をページ単位へと切り替える。スキャンのブロック単位とは、図２で説明したように、原稿２０を主走査方向で分割するスキャン範囲の事であり、ステップＳ１２０３では、これを主走査方向に１分割した範囲をブロック単位とするという事である。これにより、ＭＦＰ１０内部のメモリ領域も、原稿一ページの画像データを格納できる領域を確保する必要がある。
【００５３】
スキャンするブロック単位をページ単位に切り替えたら、ステップＳ１２０４に進み、スタートボタン押下をきっかけに、ＭＦＰ１０は回線補足及びスキャンを開始する（ステップＳ１２０５）。そして、ステップＳ１２０６に進み、１ページ目の画像データがメモリ３０に格納されたら、ステップＳ１２０７でその画像データの解析を行う。
【００５４】
ステップＳ１２０７で、１ページ目の画像データに含まれるセキュリティ情報が送信可である、若しくはセキュリティ情報が含まれていなかった場合、ＭＦＰ１０は送信可の情報として１ページ目の画像データを送信する。ステップＳ１２０７で送信不可のセキュリティ情報が検出された場合は、エラー終了する。
【００５５】
ステップＳ１２０８で１ページ目のデータを送信したあと、ＭＦＰ１０は次のページがあるかどうかを判断する（ステップＳ１２０９）。原稿２０が複数枚であった場合、ステップＳ１２０６に戻り、次のページのスキャン、解析、送信を繰り返し行っていく。
【００５６】
図１２として、セキュリティモードＯＮ時のダイレクト送信実行時のタイムチャートでスキャン、解析、送信の夫々の処理で、どのページを処理しているかを示す。
【００５７】
区間ア、イで、１ページ目の原稿をスキャンしてメモリ３０内部に格納する。この時、１ページ目の解析は終了していないが、ＭＦＰ１０は図４で説明した回線補足及び前手順のタイミングと同じタイミングで、回線補足及び前手順を実行する。区間アで回線補足及び前手順を実行後、実際に１ページ目の画像データを送信するまでの区間エまで、回線を補足したままの状態となる。これにより、従来のダイレクト送信と同じタイミングで回線補足及び前手順が実行されているので、ユーザに対して従来と同等のダイレクト送信が実行されている事を認識させる事が可能となる。
【００５８】
区間ウで１ページ目のデータを解析すると同時に、２ページ目のスキャンも開始する。尚、本実施例の説明では２ページ分のメモリ３０領域が確保されていると仮定しているため、２ページ目のスキャンが開始できる。仮に、１ページ分のメモリ３０領域しか確保されていなかった場合は、区間ウでは２ページ目のスキャンは開始されない事となる。
【００５９】
区間エでは、区間ウで解析した結果１ページ目の画像データが送信可能であったため、送信を開始する。平行して、２ページ目のスキャンも行われている。
【００６０】
区間オでは、１ページ目の画像データ送信、２ページ目の画像データ解析、３ページ目のスキャンが同時並行で処理されている。
【００６１】
区間カでは、１ページ目の送信が終わり、２ページ目の送信が開始されると同時に、３ページ目のスキャンが続けられている。
【００６２】
区間ケで、３ページ目の送信が終わると、後手順を実行し、回線を切断して、一連のＦＡＸ送信動作を終了する。
【００６３】
また、上記実施例等では、データを格納する媒体としてメモリ３０を用いて説明を行ったが、データを格納できる媒体であれば良く、ＨＤＤやＲＡＭなどでもよい。
【００６４】
また、上記実施例等では、ＭＦＰ１０が原稿２０をスキャンすることを前提に説明したが、スキャンでなくても、原稿２０上の画像を光学的に読み取れることが出来れば代替可能である。例えば、デジタルカメラによる撮影などによって画像を取り込んだとしても、本発明の目的を達成する事ができる。
【００６５】
また、上記実施例等では、画像の読取り、情報の抽出・選択、画像のシート上への印字のいずれもが可能なＭＦＰ１０を用いて説明したが、画像の読取りや各ステップ処理、画像のシート上への印字を行う装置が夫々別の装置であっても構わない。もちろん、各ステップの処理が、夫々、別の装置で行われても良いのは言うまでもない。
【００６６】
なお、本明細書では、少なくとも図８に記載した全ステップのうちたった一つのステップでも、そのステップに該当する処理を行う事ができる装置を画像処理装置と称する。
【００６７】
さらには、図８に記載した全ステップのうちたった一つのステップでも、そのステップに該当する処理を行うことができ、さらに、画像のシート上への印字とを行う事が出来る装置を画像形成装置と称する。
【００６８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６９】
１０  ＭＦＰ
２０  原稿
３０  メモリ
【図１】
0005574715.tif 000002
【図２】
0005574715.tif 000003
【図３】
0005574715.tif 000004
【図４】
0005574715.tif 000005
【図５】
0005574715.tif 000006
【図６】
0005574715.tif 000007
【図７】
0005574715.tif 000008
【図８】
0005574715.tif 000009
【図９】
0005574715.tif 000010
【図１０】
0005574715.tif 000011
【図１１】
0005574715.tif 000012
【図１２】
0005574715.tif 000013
【図１３】
0005574715.tif 000014